(57)【要約】  本発明は、家具の家具本体３の中に変位可能に配置された、引き出し９、摺動部分などの家具部品のための伸縮式ガイド１に関するものである。本ガイドは、家具部品に取り付けることのできるアダプター要素６によって家具部品に接続できる摺動用レール２と、家具本体に取り付けられる案内用レール４と、案内用レールと摺動用レールとの間に配置される中央レール５とを備える。嵌め込み制限器７が、摺動用レールの前方端部エリアに配置され、この制限器は、摺動用レールが充分に嵌め込まれなかったときに案内用レールの前方面に当たる。嵌め込み制限器は、その嵌め込み阻止位置から外れて変位できるとともに、案内用レール、特に案内用レールの前方端部エリアをフック状方式で包囲できる。嵌め込み制限器は、家具部品が最初に引き出されたときに案内用レールを包囲している位置から戻り移動するばねエリアを有している。【選択図】図２
2009520538.tif 000002
【特許請求の範囲】
【請求項１】
、家具本体（３）の中で変位可能に配置された引き出し（９）、伸長体その他の家具部品のための伸縮式ガイド（１）であって、
ａ．前記家具部品の側部に固定することのできるアダプターユニット（６）によって前記家具部品に接続ないしは掛止することのできる走行用レールを備え、
ｂ．前記家具本体の側部に固定することのできる少なくとも１つの案内用レール（４）を備え、さらに、
ｃ．好ましくは及び／又は場合によっては、前記案内用レール（４）と前記走行用レール（２）との間に配置された、延出長さを増大させる中央レール（５）を有し、
ｄ．前記走行用レール（２）の前方端部エリアに嵌め込み制限器（７）が配置され、該嵌め込み制限器が、前記走行用レール（２）がまだ完全には押し込まれておらず、嵌め込み阻止位置から外れて動作、特に枢動することができるときに、前記案内用レール（４）の前方端部に押し付けられる伸縮式ガイド（１）において、
ｅ．前記嵌め込み制限器（７）が、前記案内用レールあるいは前記中央レール、特に前記案内用レール（４）の前記前方端部の周りをフック形状に包囲していることと、
ｆ．前記嵌め込み制限器（７）が、前記家具部品が最初に引き出されたときに前記案内用レール（４）あるいは前記中央レールの周りを包囲する位置からリセットする少なくとも１つのばねエリアを有していることと
を特徴とする、伸縮式ガイド。
【請求項２】
前記アダプターユニット（６）が、前記ばねエリアを作動させるための制御用湾曲部（２３）を有していることを特徴とする、請求項１に記載の伸縮式ガイド。
【請求項３】
前記可動型家具部品が当該伸縮式ガイドから再び取り外された後に、掛止制御部品（１５）におけるフック部分（２４）が前記案内用レールあるいは前記中央レールの後方で係合する位置へ自動的に戻るように、前記少なくとも１つのばねエリアが、最初に延出されかつ引っ込められるときに前記ばねエリアの１つに張力を掛けるような態様で、前記制御用湾曲部（１０）が、設計され、かつ、前記少なくとも１つのばねエリアに適合されていることを特徴とする、請求項１に記載の伸縮式ガイド。
【請求項４】
前記アダプターユニット（６）が、引き出しフレーム（８）に事前組み立てされていることを特徴とする、請求項１〜３のいずれか一項に記載の伸縮式ガイド。
【請求項５】
前記嵌め込み制限器（７）が、前記走行用レール（２）に事前組み立てされていることを特徴とする、請求項１〜４のいずれか一項に記載の伸縮式ガイド。
【請求項６】
前記アダプターユニット（６）が、１部品形式にあるいは多部品形式で構成されていることを特徴とする、請求項１〜５のいずれか一項に記載の伸縮式ガイド。
【請求項７】
前記アダプターユニット（６）が、２部品形式で構成されているとともに、シートメタルから作られた第１アダプター部品（９）と、事前組立ユニットを形成するために前記第１アダプター部品に接続された、プラスチックから作られた第２アダプター部品（１０）とを有し、前記第１アダプター部品（９）が、変位可能に取り付けられた前記家具部品の横向きフレーム（８）に連結することのできるような態様で設計されていることを特徴とする、請求項１〜６のいずれか一項に記載の伸縮式ガイド。
【請求項８】
前記アダプターユニット（６）、特に前記第２アダプター部品（１０）と、前記走行用レール（２）とは、対応する接続要素（１１）を有していることを特徴とする、請求項１〜７のいずれか一項に記載の伸縮式ガイド。
【請求項９】
前記接続要素（１１）が、前記第２アダプター部品（１０）における下方突出部（１２）として、また、前記走行用レール（２）の上方における窓状の切抜部あるいは開口（１３）として構成されていることを特徴とする、請求項１〜８のいずれか一項に記載の伸縮式ガイド。
【請求項１０】
前記突出部（１２）が、好ましくは凹部（１３）の中でその凹部へ至ったときにわずかな遊びをもって係合する多数の個別ウェブ（３２）を備えることを特徴とする、請求項１〜９のいずれか一項に記載の伸縮式ガイド。
【請求項１１】
前記第１アダプター部品（９）及び第２アダプター部品（１０）が、前記第１アダプター部品（９）の切抜部（２９）の中に掛止することのできる前記第２アダプター部品（１０）における掛止手段（２８）によって、互いに接続されていることを特徴とする、請求項１〜１０のいずれか一項に記載の伸縮式ガイド。
【請求項１２】
前記第２アダプター部品（１０）における前記制御用湾曲部（２３）が、取り付け位置において前記走行用レール（２）に対して実質的に平行に延びる部分（３０）に構成されていることを特徴とする、請求項１〜１１のいずれか一項に記載の伸縮式ガイド。
【請求項１３】
横向き突出部（２７）が、前記アダプターユニット（６）、特に前記第２アダプター部品（１０）に形成され、前記横向き突出部が、前記引き出しを前記走行用レール（２）の浮き上がり外れに対してこのエリアに固定するために前記引き出しを取り付けるときに、前記嵌め込み制限器（７）のある面の下方あるいは前記走行用レールにおけるある面の下方に係合することを特徴とする、請求項１〜１２のいずれか一項に記載の伸縮式ガイド。
【請求項１４】
前記アダプターユニット（６）における前記横向き突出部（２７）及び下方突出部（１２）が、第２のアダプター部品（１）が、前記引き出しが前記走行用レール（２）の上へ最初に押し付けられたときに広がるとともに、前記凹部（１３）の中における前記突出部（１２）の係合のときに掛止用処置のように緩むような態様で、互いに構成されていることを特徴とする、請求項１〜１３のいずれか一項に記載の伸縮式ガイド。
【請求項１５】
前記嵌め込み制限器（７）が、１部品形式あるいは多部品形式で、特に２部品形式で構成されていることを特徴とする、請求項１〜１４のいずれか一項に記載の伸縮式ガイド。
【請求項１６】
前記嵌め込み制限器（７）が、前記走行用レール（２）に取り付けることのできる基底部品（１４）と、少なくとも部分的に動くことができるように、好ましくは枢動可能であるように前記基底部品に配置された掛止制御部品（１５）とを備えることを特徴とする、請求項１〜１５のいずれか一項に記載の伸縮式ガイド。
【請求項１７】
前記掛止制御部品（１５）に２つ以上のばねエリアが構成されていることを特徴とする、請求項１〜１６のいずれか一項に記載の伸縮式ガイド。
【請求項１８】
前記フック部分（２４）が、前記掛止制御部品（１５）に構成されているとともに、前記フック部分（２４）が、前記走行用レールが押し込まれたときに前記ばねエリアの少なくとも１つの予張力で前記案内用レール（４）の自由端部を包囲する位置に動くことができることを特徴とする、請求項１〜１７のいずれか一項に記載の伸縮式ガイド。
【請求項１９】
前記第１ばねエリアが、ねじりばねとして作用するピン（２１）のように構成されていることを特徴とする、請求項１〜１８のいずれか一項に記載の伸縮式ガイド。
【請求項２０】
前記第２ばねエリアが、ばね舌片（２０）を有していることを特徴とする、請求項１〜１９のいずれか一項に記載の伸縮式ガイド。
【請求項２１】
前記掛止制御部品（１５）が、ねじりばねのように作用するピン（２１）を使用して前記基底部品（１４）に取り付けられていることを特徴とする、請求項１〜２０のいずれか一項に記載の伸縮式ガイド。
【請求項２２】
前記ばね舌片（２０）が、前記ねじりばねの作用の支援で前記掛止制御部品を枢動させるように設計されていることを特徴とする、請求項１〜２１のいずれか一項に記載の伸縮式ガイド。
【請求項２３】
前記ピンが、前記基底部品（１４）における中空円筒状受け口（３３）にあるスロットの中に取り付けられていることを特徴とする、請求項１〜２２のいずれか一項に記載の伸縮式ガイド。
【請求項２４】
前記掛止制御部品（１５）が、底板（２２）における前記ピン（２１）と、可撓性ばね舌片（２０）とを備え、前記可撓性ばね舌片（２０）が、前記底板（２２）に取り付けられ、前記可撓性ばね舌片（２０）が、前記基底部品（１４）の前記スロット（１９）を貫通する自由端部分を有し、かつ、第２ラッチ要素における制御用湾曲部ないしは面（２３）とともに作用し、前記引き出しが最初に引き出されたときに前記可撓性ばね舌片が撓むとともに前記可撓性ばね舌片に張力が掛けられるようになっていることを特徴とする、請求項１〜２４のいずれか一項に記載の伸縮式ガイド。
【請求項２５】
前記掛止制御部品（１５）がフック部分（２４）を備え、該フック部分は、最初の取り付けの際に前記案内用レールあるいは本体レール（４）の前記自由内方端部の周りに配置されてその自由内方端部を包囲し、前記ピン（２１）が回転され、かつ、前記ねじりばねが、張力が掛けられることを特徴とする、請求項１〜２４のいずれか一項に記載の伸縮式ガイド。
【請求項２６】
前記アダプター部品（１４）は、前記フック部分（２４）が前記走行用レールの後方における係合から解除される際に、該フック部分（２４）が前記走行用レールへ向かって内方へあるいはその走行用レールに対して外方へ枢動されるような態様で、構成されていることを特徴とする、請求項１〜２５のいずれか一項に記載の伸縮式ガイド。
【請求項２７】
前記基底部品（１４）が、前記走行用レール（２）に係合する止め具ないしはストッパー部分（１６）を有し、該ストッパー部分に、外側において前記走行用レール（２）に対して平行に延びる肩部（１７）が隣接するフランジ部分（２４）が構成されていることを特徴とする、請求項１〜２６のいずれか一項に記載の伸縮式ガイド。
【請求項２８】
嵌め込み方向ｘにある前記肩部（１７）の後方端部に解除用把手（１８）が構成されていることを特徴とする、請求項１〜２７のいずれか一項に記載の伸縮式ガイド。
【請求項２９】
前記解除用把手（１８）に、前記引き出しの前記取り付け位置にある前記アダプターユニット（６）における前記突出部（２７）の下方に係合する斜面部（２６）が構成されていることを特徴とする、請求項１〜２８のいずれか一項に記載の伸縮式ガイド。
【請求項３０】
前記肩部（１７）に、前記掛止制御部品（１５）の前記第１ばねエリア−前記ばね舌片（２０）−が前記取り付け位置において係合するスロット（１９）が形成されていることを特徴とする、請求項１〜２９のいずれか一項に記載の伸縮式ガイド。
【請求項３１】
前記掛止制御部品（１５）が、メタルシート、好ましくは鋼板を備え、前記ばねエリア（３５，３５）の１つ以上を有していることを特徴とする、請求項１〜３０のいずれか一項に記載の伸縮式ガイド。
【請求項３２】
前記掛止制御部品（１５）の一方のばねエリア（３５）が、シートメタルから板ばねのように構成され、また、他方のばねエリア（３６）が、ねじりばねのように構成されていることを特徴とする、請求項１〜３１のいずれか一項に記載の伸縮式ガイド。
【請求項３３】
前記掛止制御部品（１５）が、前記ばねエリア（３５）において、前記基底部品（１４）の内部受け口（３７）の中に板ばねのように保持されており、前記フック部分（２４）が、前記案内用レールの前記自由端部の周りを包囲していることを特徴とする、請求項１〜３２のいずれか一項に記載の伸縮式ガイド。
【請求項３４】
前記第２アダプター部品の前記制御用湾曲部（２３）が、板ばねのような前記ばねエリア（３５）に、ねじりばねのような前記ばねエリア（３６）の作用に抗して、張力を掛けるように設計されていることを特徴とする、請求項１〜３３のいずれか一項に記載の伸縮式ガイド。
【請求項３５】
自己引き込みのための装置が配置されていることを特徴とする、請求項１〜３４のいずれか一項に記載の伸縮式ガイド。
【発明の詳細な説明】
【技術分野】
【０００１】
本発明は、特許請求の範囲における請求項１の前文による伸縮式ガイドに関するものである。
【背景技術】
【０００２】
伸縮式ガイドは、例えばこの種類のものに係るドイツ実用新案公開公報のＤＥ  ２０  ２００５  ００５  ４８９  Ｕ１号から、それ自体、公知である。
【０００３】
従って、家具本体の中に変位可能に配置された家具部品を、その家具部品が走行用レールに対してその前方端部エリアにおいて固定されるような方式で、上記走行用レールへ、その軸方向に連結するとともにその軸方向に対して横方向にも連結することは、この刊行物からまず公知である。
【０００４】
加えて、ＤＥ  ２０  ２００５  ００５  ４８９には、可動型家具部品が最初に近接されるかあるいは押し込まれた後に上記走行用レールに対する上記家具部品の軸方向連結があらゆる状況の下で保証されるような方式で伸縮式ガイドが設計されることが示唆されている。このことは、上記走行用レールがまだ完全には押し込まれていないときに上記案内用レールあるいは中央レールの上記前方端部に押し付けられる嵌め込み制限器が上記走行用レールの上記前方端部エリアに配置されることで、達成される。そのラッチ要素は、ラッチ凹部の中のラッチカム及び／又は上記走行用レールの開口に係合するものであるが、その嵌め込み阻止位置の外側で枢動可能である。
【０００５】
従って、上記走行用レールと上記家具部品との間の連結は、上記走行用レールが最終嵌め込み位置へ到達する直前に上記嵌め込み方向において初めは自動的に阻止され、かつ、上記走行用レールと上記家具部品との間における上首尾の連結の後にのみ再び解除される、という点で確実にされる。これによって、いっそう確実で最適化された取り付けがもたらされる。
【発明の開示】
【発明が解決しようとする課題】
【０００６】
この設計を、特に高い取り付け信頼度に関して改善することは、本発明の目的である。
【課題を解決するための手段】
【０００７】
本発明によれば、特許請求の範囲における請求項１の主題によってこの目的が達成される。
【０００８】
すなわち、嵌め込み制限器は、案内用レールあるいは中央レールの周りを、特に案内用レールの前方端部の周りを、フック形状に包囲しており、また、その嵌め込み制限器には、家具部品が最初に引き出されたときに案内用レールあるいは中央レールの周りを包囲する位置からのリセットをもたらす少なくとも１つのばねエリアを有する。
【０００９】
本発明は、上記種類のものによる従来技術の利点を利用するとともに改良されたものである。従って、どのような場合にも、案内用レールのフック状包囲と、完全な嵌め込みに対する阻止位置の枢動状後退を実施する取り付けの後の第１延出における掛止制御部品の弾性特性という理由で、常に確実な取り付けが存在している。
【００１０】
案内用レールの自由端部の後方における係合は、設計を実施するために特に簡単である。中央レールにおける構成は、設計を実施することについてはあまり好ましくない。
【００１１】
好ましい実施形態によれば、アダプターユニットには、掛止制御部品のばねエリアを作動させるための制御用湾曲部がある。この制御用湾曲部が、少なくとも１つのばねエリアを利用するような方式で設計されているとともに少なくとも１つのばねエリアに適合されているときには、ばねエリアの１つは、可動型家具部品が伸縮式ガイドから取り外された後に、掛止制御部品におけるフック部分が案内用レールあるいは中央レールの後方で係合した位置へ自動的に戻るような方式で、張力を掛けることができるのが好ましい。
【００１２】
金属製ばねとしての、掛止制御部品の代わりの実施形態では、金属製ばねにおける制御用湾曲部のこのような作用あるいは別の作用が不要になることさえある。このばねは、引き出しが最初に引き出されたときに自動的に係合解除される。
【００１３】
有利ないくつかの実施形態が、特許請求の範囲における従属請求項から推認されよう。
【００１４】
本発明は、代表的な実施形態に基づいた図面を参照して、以下いっそう詳しく説明される。
【発明を実施するための最良の形態】
【００１５】
図１には、家具本体の中に変位可能に案内される引き出しのような家具部品のための伸縮式ガイドが、参照符号１によって全体として特定されている。
【００１６】
この伸縮式ガイドは、図２及び図３に明示されるように、変位可能な家具部品へ連結することのできる走行用レール２と、表示された家具本体３（図１０）に固定された案内用レール４とを備える。走行用レール２と案内用レール４との間に配置された、延出長さを増大するための中央レール５が、場合により予想される。図１０によれば、中央レール５とレール２，４，５の間におけるローラ本体とを有している伸縮式構成体の断面図が示されていることもまたわかる。
【００１７】
上記変位可能な家具部品は、簡単に説明するために、これ以降、引き出しと称される。この用語指定は、限定的なものとして理解すべきではなく、また、「前方の」あるいは「後方の」あるいは「上方の」及び「下方の」のような、ある本体の中に引き出すことができるように取り付けられた引き出しに関する話し言葉における一般的使用にそれぞれが関係している用語もまた、限定的なものとして理解すべきではなく、フロントパネルとは、典型的には「前方に」存在するものとして言及され、また、引き出し底とは、「下方に」存在するものとして言及される。
【００１８】
上記変位可能な家具部品を上記走行用レールへ連結し、かつ／又は、上記家具部品を上記走行用レール２に固定するために、上記走行用レールにおける掛止のためのラッチ要素の機能も発揮するのが全体として好ましい引き出し側部アダプターユニット６と、上記走行用レールに事前取り付け可能な嵌め込み制限器７とが、使用される。
【００１９】
アダプターユニット６は、走行用レール２を上記引き出しへ連結するために、特に、走行用レール２を、例えばシートメタル部品として実施されあるいはそのシートメタル部品の上に構成された引き出しフレーム８へ連結するために使用される。
【００２０】
アダプターユニット６は、１部品としてあるいは多部品として実施することができる。このアダプターユニットは、本明細書での好ましい実施形態では２つの部品を備え、また、シートメタルから作られた第１アダプター部品９と、事前組立ユニットを形成するためにその第１アダプター部品へ接続された、プラスチックから作られた第２アダプター部品１０とを備える。
【００２１】
第１アダプター部品９は、変位可能に取り付けられた家具部品の横向きフレーム８へ連結することができるような方式で実施されている。
【００２２】
この目的のために、第１アダプター部品９は、シートメタルから作られた有孔／湾曲部品として実施されているのが好ましく、また、上記変位可能な家具部品の上記横向きフレームを折り返し止めによって第１アダプター部品９へ永久に接続することができるような方式で、形成されているのが好ましい。
【００２３】
第１アダプター部品９は、プラスチックから形成されているのが好ましい第２アダプター部品１０へ接続、ここでは掛止、されている。この第２アダプター部品１０は、走行用レール２に掛止することができるような方式で実施されている。上記第１アダプター部品及び上記引き出しフレーム、あるいはさらに第１アダプター部品９及び第２アダプター部品１０は、理論的には、１部品として実施することもできる。
【００２４】
走行用レール２及び第２アダプター部品１０には、対応している接続要素１１があり、これらの接続要素はここでは、好ましくは第２アダプター部品１０における下方突出部１２（図３）として、また、好ましくは走行用レール２の上方における窓状の切抜部あるいは凹部１３（図２）として実施されている。
【００２５】
突出部１２は、好ましくは凹部１３の中でその凹部へ至ったときにわずかな遊びをもって係合する多数のウェブ３２を備える。
【００２６】
第１アダプター部品９及び第２アダプター部品１０は、第２アダプター部品１０における掛止手段２８によって、事前組立ユニットの中へ互いに迅速かつ確実に接続することができるが、上記掛止手段は第１アダプター部品９の切抜部２９に係合する。
【００２７】
走行用レール２に対して全体としてあるいは基本的に平行に延びている部分３０が、第２アダプター部品１０において実施されており、上記走行用レールへ対向しているその側面に制御用湾曲部２３が実施されており、この湾曲部は、それによって上記嵌め込み制限器におけるばねエリアに張力が掛けられるような方式で（以下でいっそう詳しく説明されるように）設計されているとともに形成されている。この部分３０にも、基底部品の斜面部２６の下方で係合するための突出部２７がある。
【００２８】
従って、上記引き出しを走行用レール２に取り付けるとともにその引き出しを軸方向に固定するためには、上記引き出しは、窓状切抜部１３の中における突出部１２の係合が保証されるような方式で上記走行用レールに取り付けることが必要である。
【００２９】
しかしながら、上記引き出しを上記家具本体へできるだけ近接したそのフロントパネルを有している状態で押し込みかつ／又は閉じることができるような方式で突出部１２及び切抜部１３が互いに係合することを保証するためには、嵌め込み制限器７が必要であり、この嵌め込み制限器によって、上記案内用レールを家具本体の中における後部まで比較的遠くに取り付けることができる、ということが保証される。
【００３０】
嵌め込み制限器７によれば、アダプターユニット６と組み合わされることで、スナップ係合及び／又は掛止係合によって、上記引き出しが、走行用レール２からの浮き上がり外れに対してフロントパネル側部で端部に固定される、ということがさらに保証される。
【００３１】
嵌め込み制限器７は、本明細書では、すなわち、これまた好ましいが必ずしも必要ではない実施形態では、２つの部品から実施されている。この嵌め込み制限器は、走行用レール２に固定することのできる基底部品１４と、この基底部品に固定されているものの、この基底部品に対して部分的に動くことができるように配置され、また、図４において個別部品として示されている、枢動可能な掛止制御部品１５とを備える。
【００３２】
基底部品１４は、費用効果を高くするため、図１〜図６に示されたように、プラスチックから構成されている。
【００３３】
この基底部品は、使用時に前方端部から走行用レール２に係合するある種のストッパー部分１６を備える。ストッパー部分１６の前方端部には、ここでは外面において走行用レール２に対して平行に延びる肩部１７に隣接するフランジ部分２５が設けられている。
【００３４】
嵌め込み方向ｘにおける肩部１７の後方端部は、斜面部２６を介して、下方へ延出している解除用把手１８へ到るが、この方式では、解除用把手１８は、肩部１７に対して、さらに走行用レール２から、半径方向に、かつ／又は、上記延出方向に対して垂直に、外方へいくらか突出している。
【００３５】
斜面部２６は、第１部分２６ａでは、斜め下方に、かつ、走行用レール２に対して斜め垂直に延出しており、また、第２部分２６ｂでは、走行用レール２に対して斜め垂直にだけ延出している。
【００３６】
斜面部２６は特に重要なものであるが、その理由は、その部分の少なくとも一つが、走行用レール２から上記引き出しが上記前方端部で浮き上がって外れないように固定する最終取り付け位置でその下方に係合する第２アダプター部品１０に突出部２７を有しているからである。
【００３７】
この係合を下方へかつ／又は後方へ解除するために、上記引き出しの延出状態では、把手１８は、走行用レール２に対して垂直である方向ｙへ押し付けられて、斜面部２６を突出部２７まで動かすので、下方への係合が解除される。従って、上記引き出しのこの解除は、容易にだけでなく、必要であればさらにまた特に迅速に起きる。この原理は、示されたすべての実施形態に採用されるのが好ましい。
【００３８】
基底部品１４の肩部１７には、Ｔ字溝のようなスロット１９が設けられており、このスロットの中で、掛止制御部品１５の第１ばねエリア−ここではばね舌片２０−が取り付け位置において係合しているので、ばね舌片２０は、保持され、支持され、また、基底部品１４に確実に案内されている。
【００３９】
図４の掛止制御部品１５はプラスチックから製造されている。代わりの実施形態によれば、この掛止制御部品はシートメタルを備えてもよい。
【００４０】
この掛止制御部品は、固定の後に基底部品１４に対して依然として部分的に動くことができるような方式で、基底部品１４に取り付けることができる。この掛止制御部品は、理論的には、基底部品１４とともに一体に実施することもできるが、そのときには、部分的に動くことのできるばねエリアがなければならない。
【００４１】
掛止制御部品１５の底板２２からピン２１が突出しており、このピンは、ねじりばねのように作用するとともに、上記基底部品におけるその自由端部に固定することができ、その回転軸の周りで掛止制御部品１５が基底部品１４に対して枢動可能であり、掛止制御部品１５を基底部品１４に固定するために使用される。
【００４２】
図２及び図３によれば、このピンは、基底部品１４におけるある種の中空円筒状受け口３３の自由端部に固定されている。このねじりばねによって、掛止制御部品１５に第１ばねエリアが形成されている。
【００４３】
底板２２におけるピン２１に加えて、その底板には第２ばねエリアもまた設けられており、掛止制御部品１５は、本明細書では、これまた底板２２へ取り付けられてその一方の自由端部が基底部品１４の肩部１７のスロット１９を貫通する可撓性ばね舌片２０も備えており、ばね舌片２０が移動して上記引き出しの第１嵌め込み時に張力を掛けられる方式で、第２アダプター部品１０における制御用湾曲部あるいは面２３と相まって作用する。
【００４４】
掛止制御部品１５にはフック部分２４も備わっており、このフック部分は、最初の取り付けの際に案内用及び／又は本体用レール４の自由前方端部の周りに存在しているので（図５ａ、図６ａ、図７ａ）、その周りを包囲し、上記ねじりばねが緩められた状態にあるのが好ましい。
【００４５】
ここでは、上記取り付けの実行は一連の連続した取り付け画像に基づいていっそう詳しく説明されるが、上記伸縮式ガイドの諸要素におけるいくつかの部分は、理解をいっそう容易にするために、時には示されない。
【００４６】
アダプターユニット６は、工場において事前に引き出しフレーム８へすでに固定され、また、嵌め込み制限器７は、伸縮式レール構造体へ固定された（好ましくは、１つが上記引き出しのそれぞれの横向きフレームに）。
【００４７】
この事前組立の後に、基底部品１４には、すでに分かるように、走行用レール２に係合されてその上に固定されたそのストッパー部分１６をも有し、掛止制御部品１５は、ピン２１によって基底部品１４の上で動くことができるように、取り付けられている。この掛止制御部品は、そのフック部分２４が走行用レール２の押し込み状態にある案内用レール４の前方端部の周りを包囲するような方式で、基底部品１４に対して偏向される。
【００４８】
すでに分かるように、この状態では、第１ばねエリア、すなわち、ねじりばねのようなピン２１は緩められているとともに、上記走行用レールは、フック部分２４の内側縁部とフランジ２５の後方縁部あるいは内側縁部との間隔に対応して、案内用レール４の前方端部を越えて、わずかな距離だけ延出されている（図６ａを参照）。
【００４９】
実際には、上記突出部は、例えばおよそ１〜３ｍｍである。この位置は、嵌め込み制限器７の事前組立によって固定される。
【００５０】
これに関して、事前組立は、例えば「工場で」すでに実施することができる。
【００５１】
「最終消費者」での上記引き出しの実際の取り付けは、この場合には、上記引き出しを押し込み状態にある案内用レール２に配置し、その後、その引き出しを押し込むことで、開始することができる。
【００５２】
この引き出しは、上記アダプターユニットの底面及び／又は第２アダプター部品１０における突出部１２が、重力（方向ｚ）によって本明細書では凹部１３の中へ入り、その中に係合し（図５ｃ、図６ｃ、図７ｃ）、第２アダプター部品１０が、凹部１３へ到達する前に斜面部２６の下方を延びる突出部２７によって広げられるまで、走行用レール２の上で後方及び／又は嵌め込み方向ｘへ押し込まれる（図５ａ、図５ｂ、ならびに図６ａ、図６ｂ、図７ａ及び図７ｂ）。突出部１２が凹部１３の中に係合すると、第１アダプター部品１０は緩められるので、第２アダプター部品１０及び／又は上記アダプターユニット及び走行用レール２は、知覚的にまた場合によっては音声的にも互いに掛止する（図５ｃ、図６ｃ、図６ｄ）。
【００５３】
突出部２７が嵌め込み制限器７の基底部品１４の下方に係合するので、上記引き出しは、引込方向及び延出方向においてだけでなく、走行用レール２の不測の浮き上がり外れに対してもまた、固定される。
【００５４】
走行用レール２が、上記事前組立ユニットによって案内用レール４に対していくらか引き出されたので、伸縮式ガイド１を上記家具本体の中にいっそう深く取り付けることができる。
【００５５】
整然としているのは、この利点を、上記引き出しが上記家具本体における上記フロントパネルの接触部まで突出することなく多かれ少なかれ引き込み可能であるように利用することもできることであり、嵌め込み制限器７及びアダプターユニット６における制御用湾曲部２３は、フック部分２４が充分に動き、ここでは枢動し、次いで、上記引き出しがその後に押し込まれる図５ａの始動位置から開かれ、上記引き出しが案内用レール４の端部と基底部品１４のフランジ部分２５との間にもはや存在せず、その結果、走行用レール２をこの距離だけさらに押し込むことができるように、互いに設計されかつ適合されている。
【００５６】
このようにすることで、ばね舌片２０は上記延出方向に対して垂直に偏向される。
【００５７】
アダプターユニット６を介して引き出しフレーム８へ接続された走行用レール２が上記延出方向にある案内用レール４から外れるとすぐに、張力の掛けられたばね舌片２０のばね力によって、フック部分２４が後方へ、ここでは内方へ（図６ｄ、図７ｄ）係合した位置から外れたねじりばねに類似したピン２０のばね力に抗して枢動し、その結果、上記引き出しが再び押し込まれたときに上記引き出しは案内用レール４の端部と基底部品１４のフランジ部分２５との間にもはや存在せず、従って、この引き出しはさらに押し込むことができる（図６ｅ及び図７ｅ）。
【００５８】
第２アダプター部品１０の広がりに関連してアダプター部品１０における突出部１２が凹部１３及び／又はラッチの中へ嵌まり込む、例えば図６ｃにおける特定の位置で図６ｆにすでに示されたように、アダプターユニット６及び／又は第２アダプター部品１０の突出部２７は、上記延出方向に対して垂直である走行用レール２の方向に突出しているが、この突出部は、基底部品４における斜面部２６の２つの部分２６ａ，２６ｂの一方の下方に係合し、その結果、アダプターユニット６及び／又はここでは第２アダプター部品１０は、従って、引き出し全体は、走行用レール２の浮き上がり外れに対して固定される。
【００５９】
上記引き出しを上記走行用レールから再び取り外すために、把手１８は、すでに説明したように、上記の肩部あるいは突出部２７が下方の係合から解除されるように、押し込まなければならず、その結果、上記引き出しは浮き上がって外れることもある。従って、フック部分２４は、ねじりばねのようなピン２０の解除のために後方外側へ枢動し、その結果、そのフック部分は、次に上記走行用レールが押し込まれると、案内用レール４を再び包囲する。
【００６０】
上記引き出しフレームは、その後方端部（ここでは図示されていない）で、例えば、典型的な方式により、浮き上がり外れに対してＣ字状フックに固定される。好ましくは制動器（ここでは図示されていない）を備える自己引込装置９を、上記走行用レールと上記案内用レールあるいは本体レールとの間に配置することができる。
【００６１】
上記嵌め込み制限器は、案内用レール４の後方での係合から解除されたときにフック部分２４が走行用レール２の中へ内方に枢動するような方式で、図１〜図７に従って実施されている。代わりに、その嵌め込み制限器は、案内用レール４に対して外方に枢動することもまた可能である。
【００６２】
図１〜図７は第１変形例を示している。
【００６３】
図８ａ〜図８ｄは第２変形例を示しており、ばね舌片２０はここではコイルばね３４によって支持されているので、これらの要素によって、第２ばねエリアがともに形成されている。この第２ばねエリアの機能は基本的に同一である。上記アダプターユニットにおける制御用湾曲部２３によって、上記走行用レールに先に係合した上記引き出しが最初に引き出されるとフック部分２４が後方へ枢動し、その結果、上記走行用レールは再び押し込まれる（図８ａ〜図８ｄ）。
【００６４】
図９には、掛止制御部品１５が、メタルシートから、好ましくは鋼板から形成されていて、弾性特性及び／又は１つ以上のばねエリア３５，３６を有している実施形態が示されている。
【００６５】
図９の掛止制御部品１５には、これまたフック部分２４があり、このフック部分は、事前取り付け位置において案内用レール４の周りを包囲している（図９ａ）。
【００６６】
この掛止制御部品にも、ばねエリア３５，３６があり、これらのばねエリアの一方３５は板ばねのように設けられ、また、これらのばねエリアの他方であるばねエリア３６はねじりばねのように設けられている。
【００６７】
板ばねのようなばねエリア３５は、基底部品１４の受け口３７の中に支持されていて、ねじりばねのような、あるいはさらにピンのようなばねエリア３６の一方端部に設けられている。案内用レール４の周りを包囲するためのフック部分２４を有しているウェブ３８が、ねじりばねのようなばねエリア３６の他方端部に設けられている（図９ａ）。
【００６８】
掛止制御部品１５は、上記最初の取り付けの後に、板ばねのようなばねエリア３５が比較的大きく湾曲されるとともにねじりばねのようなばねエリア３６が緩められるような方式で、基底部品１４の内部受け口３７の中に保持されている。この位置では、フック部分２４は案内用レール４の自由端部の周りを包囲している（図９ａ）。
【００６９】
アダプターユニット６における、特に第２アダプター部品１０における制御用湾曲部２３の効果によって、板ばねエリア３５は平坦に押し付けられるので、フック部分２４は、ねじりばねエリア３６（図９ｃ，図９ｄ）の上記作用があるときでさえ、また、ねじりばねのようなばねエリア３６に張力が掛けられているときでさえ、上記引き出しが案内用レール４から外された後に初めて引き出される、係合した上記後方位置から外方へ枢動し、その結果、上記引き出しは、これが再び押し込まれたときに全体として押し込むことができる。
【００７０】
上記走行用レールの上における上記引き出しの実際の保持は、図１〜図７におけるようにして（突出部１２及び１７によって）実施される。
【００７１】
ねじりばねのようなばねエリア３６によって、上記ばねは、上記引き出しが外された後に、図１〜図７の代表的実施形態と同じように、図９ａの後方に係合した上記位置に再び戻る。
【００７２】
上記掛止制御部品を金属から、特にばね鋼板から形成すると、上記引き出しを家具本体から取り外し、その後に、例えば家が移動した後に再び取り付けると、きわめて長い年月の後であっても、特にねじりばね部分３６の特有の性質及び信頼性にすぐれているという利点を有する。
【図面の簡単な説明】
【００７３】
【図１】家具本体の中に変位可能に案内される引き出しのような家具部品のための伸縮式ガイドの一部についての斜視図を示している。
【図２】図１による構成の諸要素の分解斜視図を示している。
【図３】図１による構成の諸要素の異なった分解斜視図を示している。
【図４】図１による構成の掛止制御部品の斜視図を示している。
【図５ａ】上記伸縮式構成における引き出しの取り付けの時系列的連続段階の１つを斜視図で示している。
【図５ｂ】上記伸縮式構成における引き出しの取り付けの時系列的連続段階の１つを斜視図で示している。
【図５ｃ】上記伸縮式構成における引き出しの取り付けの時系列的連続段階の１つを斜視図で示している。
【図６ａ】さらなる取り付けステップを含んでいるとともに取り付け手順をより理解しやすくするために部分的に切り欠かれて示された諸要素を有している、図５に類似した伸縮式構成における引き出しの取り付けの時系列的連続段階の１つを斜視図で示している。
【図６ｂ】さらなる取り付けステップを含んでいるとともに取り付け手順をより理解しやすくするために部分的に切り欠かれて示された諸要素を有している、図５に類似した伸縮式構成における引き出しの取り付けの時系列的連続段階の１つを斜視図で示している。
【図６ｃ】さらなる取り付けステップを含んでいるとともに取り付け手順をより理解しやすくするために部分的に切り欠かれて示された諸要素を有している、図５に類似した伸縮式構成における引き出しの取り付けの時系列的連続段階の１つを斜視図で示している。
【図６ｄ】さらなる取り付けステップを含んでいるとともに取り付け手順をより理解しやすくするために部分的に切り欠かれて示された諸要素を有している、図５に類似した伸縮式構成における引き出しの取り付けの時系列的連続段階の１つを斜視図で示している。
【図６ｅ】さらなる取り付けステップを含んでいるとともに取り付け手順をより理解しやすくするために部分的に切り欠かれて示された諸要素を有している、図５に類似した伸縮式構成における引き出しの取り付けの時系列的連続段階の１つを斜視図で示している。
【図７ａ】図６の取り付けステップを下方からの図面で示している。
【図７ｂ】図６の取り付けステップを下方からの図面で示している。
【図７ｃ】図６の取り付けステップを下方からの図面で示している。
【図７ｄ】図６の取り付けステップを下方からの図面で示している。
【図７ｅ】図６の取り付けステップを下方からの図面で示している。
【図８ａ】本発明のさらなる代表的実施形態の、さまざまな取り付けステップの間における諸要素を示している。
【図８ｂ】本発明のさらなる代表的実施形態の、さまざまな取り付けステップの間における諸要素を示している。
【図８ｃ】本発明のさらなる代表的実施形態の、さまざまな取り付けステップの間における諸要素を示している。
【図８ｄ】本発明のさらなる代表的実施形態の、さまざまな取り付けステップの間における諸要素を示している。
【図９ａ】本発明のさらなる代表的実施形態の、さまざまな取り付けステップの間における諸要素を示している。
【図９ｂ】本発明のさらなる代表的実施形態の、さまざまな取り付けステップの間における諸要素を示している。
【図９ｃ】本発明のさらなる代表的実施形態の、さまざまな取り付けステップの間における諸要素を示している。
【図９ｄ】本発明のさらなる代表的実施形態の、さまざまな取り付けステップの間における諸要素を示している。
【図９ｅ】本発明のさらなる代表的実施形態の、さまざまな取り付けステップの間における諸要素を示している。
【図９ｆ】本発明のさらなる代表的実施形態の、さまざまな取り付けステップの間における諸要素を示している。
【図９ｇ】本発明のさらなる代表的実施形態の、さまざまな取り付けステップの間における諸要素を示している。
【図９ｈ】本発明のさらなる代表的実施形態の、さまざまな取り付けステップの間における諸要素を示している。
【図１０】基本的な構成を図示するために伸縮式ガイドの断面図を示している。
【符号の説明】
【００７４】
１…伸縮式ガイド、２…走行用レール、３…家具本体、４…案内用レール、５…中央レール、６…アダプターユニット、７…嵌め込み制限器、８…引き出しフレーム、９…第１アダプター部品、１０…第２アダプター部品、１１…接続要素、１２…突出部、１３…切抜部、１４…基底部品、１５…掛止制御部品、１６…ストッパー部分、１７…肩部、１８…作動アーム、１９…スロット、２０…ばね舌片、２１…ピン、２２…底板、２３…制御用湾曲部、２４…フック部分、２５…フランジ、２６…斜面部、２７…突出部、２８…掛止手段、２９…開口、３０…部分、３２…ウェブ、３３…受け口、３４…コイルばね、３５，３６…ばねエリア、３７…受け口、３８…ウェブ
【図１】
2009520538.tif 000003
【図２】
2009520538.tif 000004
【図３】
2009520538.tif 000005
【図４】
2009520538.tif 000006
【図５ａ】
2009520538.tif 000007
【図５ｂ】
2009520538.tif 000008
【図５ｃ】
2009520538.tif 000009
【図６ａ】
2009520538.tif 000010
【図６ｂ】
2009520538.tif 000011
【図６ｃ】
2009520538.tif 000012
【図６ｄ】
2009520538.tif 000013
【図６ｅ】
2009520538.tif 000014
【図７ａ】
2009520538.tif 000015
【図７ｂ】
2009520538.tif 000016
【図７ｃ】
2009520538.tif 000017
【図７ｄ】
2009520538.tif 000018
【図７ｅ】
2009520538.tif 000019
【図８ａ】
2009520538.tif 000020
【図８ｂ】
2009520538.tif 000021
【図８ｃ】
2009520538.tif 000022
【図８ｄ】
2009520538.tif 000023
【図９ａ】
2009520538.tif 000024
【図９ｂ】
2009520538.tif 000025
【図９ｃ】
2009520538.tif 000026
【図９ｄ】
2009520538.tif 000027
【図９ｅ】
2009520538.tif 000028
【図９ｆ】
2009520538.tif 000029
【図９ｇ】
2009520538.tif 000030
【図９ｈ】
2009520538.tif 000031
【図１０】
2009520538.tif 000032
【国際調査報告】
2009520538.tif 000033
2009520538.tif 000034
2009520538.tif 000035
2009520538.tif 000036